(57)【要約】【課題】ひときわ緊急度の高い状況において緊急であることをより確実に報知できるようにする。【解決手段】ブザー音や緊急信号の無線送信などにより緊急を報知する機能を備えた携帯電話機１などの端末装置において、緊急報知機能が動作しているときに、端末装置の使用状況に応じて予め指定されている報知内容を表示部１７に表示させるか否かを制御するようにする。上記使用状況は、たとえば、緊急報知機能が起動された後、予め指定された操作手順以外の操作手順で緊急報知機能の動作が終了した場合、端末装置が衝撃を受けた場合、動作用電池の残量が少なくなった場合、動作用電池が外された場合、端末装置が浸水した場合である。報知内容を表示する表示部１７としては、たとえば、電力供給が停止されても表示内容を保持し続ける電子ペーパを用いる。【選択図】図２
2014147126.tif 000002
【特許請求の範囲】
【請求項１】
緊急報知機能を備えた端末装置であって、
前記緊急報知機能が動作中にあって、前記端末装置の使用状況を検出する検出手段と、
前記検出手段によって検出された端末装置の使用状況に応じて、予め指定された報知内容を表示部に表示させるか否かを制御する表示制御手段と
を備えることを特徴とする端末装置。
【請求項２】
請求項１に記載の端末装置であって、
前記表示制御手段は、端末装置の使用状況として、前記緊急報知機能が起動された後、所定時間経過してもこの緊急報知機能の動作が継続していることを前記検出手段が検出した場合に、予め指定された報知内容を表示部に表示させるように制御することを特徴とする端末装置。
【請求項３】
請求項１に記載の端末装置であって、
前記表示制御手段は、端末装置の使用状況として、予め指定された操作手順以外の操作手順で前記緊急報知機能の動作が終了することを前記検出手段が検出した場合に、予め指定された報知内容を表示部に表示させるように制御することを特徴とする端末装置。
【請求項４】
請求項１に記載の端末装置であって、
前記表示制御手段は、端末装置の使用状況として、端末装置の動作用電池の残量が少なくなったことを前記検出手段が検出した場合に、予め指定された報知内容を表示部に表示させるように制御することを特徴とする端末装置。
【請求項５】
請求項１に記載の端末装置であって、
前記表示制御手段は、端末装置の使用状況として、端末装置から動作用電池が外されることを前記検出手段が検出した場合に、予め指定された報知内容を表示部に表示させるように制御することを特徴とする端末装置。
【請求項６】
請求項１に記載の端末装置であって、
前記表示制御手段は、端末装置の使用状況として、端末装置が所定の衝撃を受けたことを前記検出手段が検出した場合に、予め指定された報知内容を表示部に表示させるように制御することを特徴とする端末装置。
【請求項７】
請求項１に記載の端末装置であって、
前記表示制御手段は、端末装置の使用状況として、端末装置が浸水したことを前記検出手段が検出した場合に、予め指定された報知内容を表示部に表示させるように制御することを特徴とする端末装置。
【請求項８】
請求項１に記載の端末装置であって、
前記表示制御手段は、予め指定された報知内容を表示部に表示させるように制御するにあたって、所定時間の経過を待ってから、表示部に表示させるように制御することを特徴とする端末装置。
【請求項９】
請求項１に記載の端末装置であって、
前記表示制御手段は、電力供給が停止されても表示内容の表示が保持される表示部に、予め指定された報知内容を表示させるように制御することを特徴とする端末装置。
【請求項１０】
コンピュータに、
緊急を報知する機能が動作中にあって、端末装置の使用状況を検出する機能と、
前記検出された端末装置の使用状況に応じて、予め指定された報知内容を表示部に表示させるか否かを制御する機能と
を実現させるためのプログラム。
【発明の詳細な説明】
【技術分野】
【０００１】
本発明は、端末装置、及びプログラムに関し、ひときわ緊急度の高い状況において緊急であることをより確実に報知する技術に関する。
【背景技術】
【０００２】
防犯のための緊急報知機能を搭載した携帯電話機などの端末装置が実用化されている。また、緊急報知機能の専用機も実用化されている。
【０００３】
緊急報知機能には、大音量のブザー音を出力して周囲に緊急を報知するタイプ、緊急である旨や現在位置情報などを予め指定された宛先や緊急情報を管理するサーバなどに対して送信することによって緊急を報知するタイプなど、各種の緊急報知機能がある（たとえば、特許文献１を参照）。
【先行技術文献】
【特許文献】
【０００４】
【特許文献１】特開２００３−１１０７５２号公報
【発明の概要】
【発明が解決しようとする課題】
【０００５】
しかしながら、このような端末装置においては、緊急報知機能を動作させた場合に、悪意の第三者によって緊急報知を妨害される可能性がある。たとえば、悪意の第三者に端末装置を取り上げられ、操作によってブザー音の出力を停止されたり、動作用電池を外されてブザー音の出力を停止されたり、端末装置を遠くに投げられたりすることで、緊急であることを報知できなくなってしまうことが起こり得る。
【０００６】
本来は、このような悪意の第三者が周囲にいるときこそひときわ緊急度が高いにも拘わらず、緊急であることを報知できないという事態が生じてしまう。
【０００７】
本発明はこのような事情に鑑みてなされたもので、ひときわ緊急度の高い状況において
緊急であることをより確実に報知することが可能な端末装置、及びプログラムを提供する
ことを目的とする。
【課題を解決するための手段】
【０００８】
本発明の第１の観点に係る端末装置は、緊急報知機能を備えた端末装置であって、前記緊急報知機能が動作中にあって、前記端末装置の使用状況を検出する検出手段と、前記検出手段によって検出された端末装置の使用状況に応じて、予め指定された報知内容を表示部に表示させるか否かを制御する表示制御手段とを備えることを特徴とする。
【０００９】
前記表示制御手段は、端末装置の使用状況として、前記緊急報知機能が起動された後、所定時間経過してもこの緊急報知機能の動作が継続していることを前記検出手段が検出した場合に、予め指定された報知内容を表示部に表示させるように制御してもよい。
【００１０】
前記表示制御手段は、端末装置の使用状況として、予め指定された操作手順以外の操作手順で前記緊急報知機能の動作が終了することを前記検出手段が検出した場合に、予め指定された報知内容を表示部に表示させるように制御してもよい。  
【００１１】
前記表示制御手段は、端末装置の使用状況として、端末装置の動作用電池の残量が少なくなったことを前記検出手段が検出した場合に、予め指定された報知内容を表示部に表示させるように制御してもよい。
【００１２】
前記表示制御手段は、端末装置の使用状況として、端末装置から動作用電池が外されることを前記検出手段が検出した場合に、予め指定された報知内容を表示部に表示させるように制御してもよい。
【００１３】
前記表示制御手段は、端末装置の使用状況として、端末装置が所定の衝撃を受けたことを前記検出手段が検出した場合に、予め指定された報知内容を表示部に表示させるように制御してもよい。
【００１４】
前記表示制御手段は、端末装置の使用状況として、端末装置が浸水したことを前記検出手段が検出した場合に、予め指定された報知内容を表示部に表示させるように制御してもよい。
【００１５】
前記表示制御手段は、予め指定された報知内容を表示部に表示させるように制御するにあたって、所定時間の経過を待ってから、表示部に表示させるように制御してもよい。
【００１６】
前記表示制御手段は、電力供給が停止されても表示内容の表示が保持される表示部に、予め指定された報知内容を表示させるように制御してもよい。
【００１７】
本発明の第２の観点に係るプログラムは、コンピュータに、緊急を報知する機能が動作中にあって、端末装置の使用状況を検出する機能と、前記検出された端末装置の使用状況に応じて、予め指定された報知内容を表示部に表示させるか否かを制御する機能とを実現させるためのプログラム。
【発明の効果】
【００１８】
本発明によれば、ひときわ緊急度の高い状況において緊急であることをより確実に報知することができる。
【図面の簡単な説明】
【００１９】
【図１】実施形態として説明するシステムの構成図である。
【図２】実施形態として説明する携帯電話機１のブロック図である。
【図３】実施形態として説明する携帯電話機１を開いた状態を示す外観斜視図である。
【図４】実施形態として説明する携帯電話機１を閉じた状態を示す外観斜視図である。
【図５】実施形態として説明する報知内容４０の一例である。
【図６】実施形態として説明する携帯電話機１の動作を説明するフローチャートである。
【図７】実施形態として説明する携帯電話機１の動作を説明するフローチャートである。
【図８】実施形態として説明する緊急報知表示の一例である。
【図９Ａ】実施形態として説明する報知内容Ａの一例である。
【図９Ｂ】実施形態として説明する報知内容Ａの一例である。
【図９Ｃ】実施形態として説明する報知内容Ａの一例である。
【発明を実施するための形態】
【００２０】
以下、実施形態について説明する。
（１−１）装置構成
図１に実施形態として説明するシステムの構成図を示している。端末装置の一例としての携帯電話機１は、交換機２を介して無線通信網３に接続している基地局４と通信することにより、携帯電話機１などの他の端末装置と音声通話を行う。また、携帯電話機１は、無線通信網３を介してインターネット５に接続し、電子メールサーバ、Ｗｅｂサーバなどのインターネット５上の情報処理装置と通信する。
【００２１】
携帯電話機１は、ＧＰＳ衛星６（GPS : Global Positioning System）から送られてくる電波を受信して、自機の現在位置（緯度、経度、高度）を測定し、測定した現在位置を示す情報を無線通信網３に接続している位置情報管理サーバ７に随時通知する。位置情報管理サーバ７は、携帯電話機１から送られてくる上記情報を、携帯電話機１の識別子（たとえば、電話番号）に対応づけて記憶する。あるいは、位置情報管理サーバ７は、携帯電話機１が通信している基地局４の位置を示す位置情報を、その基地局４から受信し、携帯電話機１の現在位置を示す位置情報として、その携帯電話機１の識別子に対応付けて記憶する。また、インターネット５上には、携帯電話機１のユーザに何らかの異変が起きていることを示す緊急情報が管理される緊急情報管理サーバ８が接続している。
【００２２】
なお、以下、端末装置の一例である携帯電話機１について説明するが、端末装置は必ずしも携帯電話機に限られない。たとえば、ＰＤＡ（Personal Digital Assistant）などの携帯型情報端末、ノート型又はデスクトップ型のパーソナルコンピュータ、デジタルカメラ、音楽プレーヤなど、任意の情報処理装置（コンピュータ）であってもよい。
【００２３】
図２に携帯電話機１のブロック図を示している。同図に示すように、携帯電話機１は、中央制御部１１、ＲＡＭ１２（RAM : Random Access Memory）、ＲＯＭ１３（ROM : ReadOnly Memory）、無線通信送受信部１４、ＧＰＳ受信部１５、音声信号処理部１６、表示部１７、操作部１８、ＲＴＣ１９（RTC : Real Time Clock）、報知部２０、衝撃検知部２２、浸水検知部２３、及び電池部２４を有している。
【００２４】
中央制御部１１は、ＣＰＵ（Central Processing Unit)、ＭＰＵ（Micro Processing Unit）などを用いて構成されている。中央制御部１１は、ＲＡＭ１２又はＲＯＭ１３に記憶されているプログラムやデータに基づいて、携帯電話機１の統括的な制御を行うとともに、携帯電話機１が提供する各種の機能を実現する。
【００２５】
ＲＡＭ１２には、パスワードを記憶するパスワード記憶部１２２、後述する報知内容を記憶する報知内容記憶部１２３などの記憶領域がある。ＲＯＭ１３には、携帯電話機１が提供する各種の機能を実現するためのプログラムやデータが記憶されている。ＲＡＭ１２又はＲＯＭ１３には、電話番号やメールアドレスが記憶されている。
【００２６】
無線通信送受信部１４は、無線通信により基地局４を介して無線通信網３やインターネット５に接続するための通信インタフェースであり、ＤＳＰ（Digital Signal Processor）などを用いて構成されている。
【００２７】
ＧＰＳ受信部１５は、ＧＰＳ衛星６から送られてくる電波を受信して、この電波に基づいて自機の現在位置（緯度、経度、高度）を測定し、測定した現在位置（緯度、経度、高さ）を示す信号を出力する。
【００２８】
音声信号処理部１６は、マイクロフォンに入力されるアナログの音声信号をデジタル信号に変換して中央制御部１１に伝える。また、音声信号処理部１６は、中央制御部１１などから出力されるデジタル信号をアナログの音声信号に変換してスピーカに出力する。
【００２９】
表示部１７は、液晶パネル、電子ペーパ（電気泳動方式、液晶方式、電界析出方式、感熱方式、ＭＥＭＳ（MEMS : Micro Electro Mechanical Systems）方式、ブラウン管モニタなどの、情報を視覚的に出力する装置である。なお、図３及び図４に示すように、本実施形態の携帯電話機１はシェル構造を呈するものとし、表示部１７として、シェルの内周に設けられた液晶パネル（以下、メイン画面１７１と称する。）、及びシェルの外周に設けられた電子ペーパ（以下、サブ画面１７２と称する。）を備えるものとする。
【００３０】
操作部１８は、たとえば、操作ボタン、タッチパネル、操作ダイヤル、キーボード、マウスなどのユーザインタフェースであり、ユーザの操作入力を電気信号に変換して中央制御部１１に伝える。なお、図４に示すように、携帯電話機１は、シェルの内周に備えられた主要操作部１８１の他に、シェルの外周のサブ画面１７２の近傍に、操作部１８の一つとして発信キー１８２を備えている。
【００３１】
ＲＴＣ１９は、日付や時刻などの現在の時刻情報を出力するクロックである。
【００３２】
報知部２０は、サウンドスピーカ２０１、ＬＥＤ２０２、振動モータ２０３などを有し、通話の着信やメールの着信をユーザに報知する。
【００３３】
衝撃検知部２２は、衝撃（加速度）検知センサ（ＭＥＭＳセンサ、動電式、圧電式など）を備え、携帯電話機１に加わる衝撃を示す信号を出力する。
【００３４】
浸水検知部２３は、水分検知センサを備え、携帯電話機１が水没するなどして所定量以上の水分の存在を検知するとその旨を示す信号を出力する。
【００３５】
電池部２４は、携帯電話機１の駆動電力を供給する動作用電池の電圧をモニタし、供給電圧が低電圧（所定電圧以下）になるとその旨を示す信号を出力する。また、電池部２４は、動作用電池の脱着状態を示す信号を出力する。電池部２４は、たとえば、ばね状のスイッチを備え、携帯電話機１から動作用電池が外れて（動作用電池が浮いている状態も含む）上記スイッチがオン又はオフされたことをもって動作用電池の脱着状態を検知する。なお、動作用電池の脱着状態を検知する仕組みはこれに限られない。
【００３６】
図５に報知内容記憶部１２３に記憶される報知内容５０の一例を示している。同図に示すように、報知内容５０には、報知内容の識別子（以下、報知内容ＩＤ５１と称する。）に対応づけて、携帯電話機１のユーザの緊急連絡先やユーザが契約している警備会社の緊急連絡先などの報知内容５２が登録されている。
【００３７】
（１−２）動作例
図６は携帯電話機１の動作を説明するフローチャートである。携帯電話機１は、主電源（主要動作用の電力供給）がオフされている状態において、電源オン操作が行われたか否かを監視している（Ｓ６１１）。電源オン操作がされたことを検出すると（Ｓ６１１：ＹＥＳ）、携帯電話機１は、主電源をオンし、無線通信網３に接続するための位置登録処理などの待受処理を開始する（Ｓ６１２）。
【００３８】
待受処理（Ｓ６１２）の開始後において、携帯電話機１は、設定操作（報知内容５０の設定、緊急報知機能を停止するためのパスワードの設定など）が行われたか否かを監視している（Ｓ６１３）。設定操作が行われたことを検出すると（Ｓ６１３：ＹＥＳ）、携帯電話機１は、設定操作の内容に応じた設定処理を行う（Ｓ６１４）。その後はＳ６１３に戻る。
【００３９】
Ｓ６１３において、設定操作が行われない場合（Ｓ６１３：ＮＯ）、携帯電話機１は、操作部１８に対して緊急報知機能を起動させる操作が行われたか否かを判断する（Ｓ６１５）。操作が行われた場合（Ｓ６１５：ＹＥＳ）、携帯電話機１は、後述する緊急報知機能処理（図７）を行う（Ｓ６１６）。その後はＳ６１３に戻る。
【００４０】
Ｓ６１５において、緊急報知機能を起動させる操作が行われない場合（Ｓ６１５：ＮＯ）、携帯電話機１は、表示タイマＴ２（後述する図７のＳ７２０でスタートされるタイマ）がタイムアウトしたか否かを判断する（Ｓ６１７）。表示タイマＴ２がタイムアウトした場合（Ｓ６１７：ＹＥＳ）、携帯電話機１は、報知内容ＩＤ５１が「Ｃ」の報知内容５２をサブ画面１７２に表示する（Ｓ６１８）。
【００４１】
Ｓ６１７において、表示タイマＴ２がタイムアウトしていない場合（Ｓ６１７：ＮＯ）、携帯電話機１は、着信を検出したか否かを判断する（Ｓ６１９）。着信を検出した場合（Ｓ６１９：ＹＥＳ）、通話処理を開始する（Ｓ６２０）。その後はＳ６１３に戻る。
【００４２】
着信を検出しない場合（Ｓ６１９：ＮＯ）、携帯電話機１は、電源オフ操作が行われたか否かを判断する（Ｓ６２１）。電源オフ操作が行われた場合（Ｓ６２１：ＹＥＳ）、携帯電話機１は、主電源をオフする（Ｓ６２２）。
【００４３】
Ｓ６２１において、電源オフ操作が行われない場合（Ｓ６２１：ＮＯ）、発信操作や電子メールに関する操作などのその他の操作が行われたか否かを判断する（Ｓ６２３）。その他の操作が行われた場合（Ｓ６２３：ＹＥＳ）、その他の処理（発信処理や電子メールに関する処理）を行う（Ｓ６２４）。その後はＳ６１３に戻る。
【００４４】
図７は、図６の緊急報知機能処理（Ｓ６１６）を説明するフローチャートである。まず携帯電話機１は、所定のタイムアウト時間Ｔ１（たとえば、１０分）になるとタイムアウトするタイマ（以下、表示タイマＴ１と称する。）をスタートさせ（Ｓ７１１）、メイン画面１７１に緊急報知のメッセージ（以下、緊急報知表示と称する。）を出力し（Ｓ７１２）、サウンドスピーカ２０１からのブザー音の出力を開始する（Ｓ７１３）。図８に緊急報知表示の一例を示す。なお、Ｓ７１１の表示は必ずしも行わなくても良く、また、ブザー音の出力に代えて、またはブザー音の出力とともに、ＬＥＤ２０２を明滅させたり振動モータ２０３を振動させたりしてもよい。
【００４５】
次に携帯電話機１は、表示タイマＴ１がタイムアウトしたか否かを判断する（Ｓ７１４）。タイムアウトした場合（Ｓ７１４：ＹＥＳ）、携帯電話機１は、報知内容ＩＤ５１が「Ａ」の報知内容５２をサブ画面１７２に表示する（Ｓ７１５）。この際、ブザー音の出力は継続したままとしてもよいし、出力を停止するようにしてもよい。またこの際、携帯電話機１の主電源をオフしてしまってもよい。
【００４６】
図９Ａに報知内容ＩＤ５１が「Ａ」の報知内容５２の一例を示す。なお、この状態にあるときに携帯電話機１の発信キー１８２が押されると、携帯電話機１は、記憶している緊急連絡先に自動的に発信（電話による発信、電子メールの送信）する。すなわち、携帯電話機１の発見者などは携帯電話機１の操作方法がよくわからなくても、携帯電話機１の主電源がオフされていない限り事件の発生などを緊急連絡先に容易に通報することができる。
【００４７】
Ｓ７１４において、表示タイマＴ１がタイムアウトしていない場合（Ｓ７１４：ＮＯ）、携帯電話機１は、パスワードの入力操作が行われたか否かを判断する（Ｓ７１６）。パスワードの入力操作が行われた場合（Ｓ７１６：ＹＥＳ）、携帯電話機１は、入力されたパスワードがパスワード記憶部１２２に記憶されているパスワードと一致するか否かを判断する（Ｓ７１７）。パスワードが一致する場合（Ｓ７１７：ＹＥＳ）、携帯電話機１は、ブザー音の出力を停止する（Ｓ７１８）。その後は図６のＳ６１３に戻る。一致しない場合、携帯電話機１は、ブザー音の出力を停止する（Ｓ７１９）。すなわち、正規のパスワードが入力されない場合でも、携帯電話機１はブザー音の出力を停止する。またこの際、タイムアウト時間Ｔ２（たとえば、１分）になるとタイムアウトするタイマ（以下、表示タイマＴ２と称する。）をスタートさせる（Ｓ７２０）。その後は図６のＳ６１３に戻る。
【００４８】
Ｓ７１６において、パスワードの入力操作が行われない場合（Ｓ７１６：ＮＯ）、携帯電話機１は動作用電池の残量が減って供給電圧が低電圧になったことを検出したか否かを判断する（Ｓ７２１）。低電圧を検出した場合（Ｓ７２１：ＹＥＳ）、携帯電話機１は、ブザー音の出力を停止し（Ｓ７２２）、報知内容ＩＤ５１が「Ｂ」の報知内容５２をサブ画面１７２に表示する（Ｓ７２３）。その後は、図６のＳ６２２に進む。図９Ｂに報知内容ＩＤ５１が「Ｂ」の報知内容５２の一例を示す。
【００４９】
Ｓ７２１において、低電圧を検出しない場合（Ｓ７２１：ＮＯ）、携帯電話機１は、動作用電池が外れることを検出したか否かを判断する（Ｓ７２４）。動作用電池が外れることを検出した場合（Ｓ７２４：ＹＥＳ）、携帯電話機１は、ブザー音の出力を停止し（Ｓ７２５）、報知内容ＩＤ５１が「Ｃ」の報知内容５２をサブ画面１７２に表示する（Ｓ７２６）。その後は図６のＳ６２２に進む。
【００５０】
図９Ｃに報知内容ＩＤ５１が「Ｃ」の報知内容５２の一例を示す。なお、この状態にあるときに携帯電話機１の発信キー１８２が押されると、携帯電話機１は、記憶している緊急連絡先に自動的に発信（電話による発信、電子メールの送信）する。すなわち、携帯電話機１の発見者などは携帯電話機１の操作方法が分からなくても、携帯電話機１の主電源がオフされていない限り事件の発生などを緊急連絡先に容易に報知することができる。
【００５１】
Ｓ７２４において、動作用電池が外れることを検出しない場合（Ｓ７２４：ＮＯ）、携帯電話機１は、自機に衝撃が加わったことを検出したか否か（たとえば、衝撃検知センサから出力される加速度値が所定値以上になったか否か）を判断する（Ｓ７２７）。衝撃が加わったことを検出した場合（Ｓ７２７：ＹＥＳ）、携帯電話機１は、報知内容ＩＤ５１が「Ａ」の報知内容５２をサブ画面１７２に表示する（Ｓ７２８）。この際、ブザー音の出力は継続したままとしてもよいし、出力を停止するようにしてもよい。またこの際、携帯電話機１の主電源をオフするようにしてもよい。
【００５２】
Ｓ７２７において、衝撃が加わったことを検出しない場合（Ｓ７２７：ＮＯ）、携帯電話機１は、携帯電話機１が浸水していることを検出したか否か（たとえば、水分検知センサが所定量以上の水分の存在を検知したか否か）を判断する（Ｓ７３０）。浸水を検出した場合（Ｓ７３０：ＹＥＳ）、携帯電話機１は、報知内容ＩＤ５１が「Ａ」の報知内容５２をサブ画面１７２に表示する（Ｓ７２８）。浸水を検出しない場合（Ｓ７３０：ＮＯ）、Ｓ７１４に戻る。
【００５３】
なお、以上では、緊急報知機能として、ブザー音を出力して携帯電話機１の周囲に緊急を報知する機能について説明したが、緊急報知機能はこのような機能に限られない。たとえば、主要操作部１８１の操作に応じて携帯電話機１から緊急である旨を位置情報管理サーバ７に自動的に通知し、位置情報管理サーバ７に管理されている当該携帯電話機１の現在位置情報を、警備会社などの緊急情報管理サーバ８に自動的に送信し、緊急情報管理サーバ８に当該携帯電話機１が緊急である旨とその現在位置を記憶するようにしてもよい。これによれば緊急情報管理サーバ８から事件の発生や携帯電話機１の現在位置を容易に知ることができ、警備会社は要員を急行させるなどの必要な措置を迅速にとることができる。
【００５４】
また以上では、パスワードの入力に応じてブザー音を停止するようにしているが（図７のＳ７１６〜Ｓ７１９）、ブザー音を停止する方法はこれに限られない。たとえば、特定の順序でキーが操作されたことや指紋などの生体情報の認証に成功したことをもってブザー音を停止するようにしてもよい。
【００５５】
メイン画面１７１を液晶パネルとし、サブ画面１７２を電子ペーパとしているが、表示部１７の形態は必ずしもこれに限られず、メイン画面１７１及びサブ画面１７２は任意の表示デバイスであってよい。また、緊急報知表示や報知内容（図８、図９Ａ〜図９Ｃ）をサブ画面１７２に表示するようにしているが、緊急報知表示や報知内容の報知方法は任意の表示デバイスに表示させるようにしてよい。
【００５６】
以上によれば、緊急報知機能が動作中に、端末装置の使用状況に応じて、報知内容を表示部に表示させるようにしたので、ひときわ緊急度の高い状況において緊急であることをより確実に報知することができる。
【００５７】
緊急報知機能が起動された後、所定時間経過してもこの緊急報知機能の動作が継続している場合は、たとえば、端末装置のユーザが悪意の第三者に拘束されたり、悪意の第三者に端末装置を取り上げられて遠くに投げられたりして、ユーザがこの緊急報知機能を停止できない状況にある可能性が考えられる。このような状況において緊急であることをより確実に報知することができる。たとえば、遠くに投げられた端末装置を拾った人が緊急であることを知ることができる。また、緊急通知機能の起動と同時に報知内容を表示部に表示させてしまうと、悪意の第三者にこの報知内容を知られてしまい、端末装置を破壊されてしまう可能性があるが、所定時間経過後であれば、報知内容を悪意の第三者に知られる可能性を低くすることができる。
【００５８】
予め指定された操作手順以外の操作手順で緊急報知機能の動作が終了する場合は、たとえば、悪意の第三者の操作によってこの緊急報知機能の動作が終了する状況にある可能性が考えられる。このような状況において緊急であることをより確実に報知することができる。
【００５９】
端末装置の動作用電池の残量が少なくなった場合は、たとえば、緊急報知機能のブザー音の音量が小さくなってしまったり、停止してしまったりする状況にあると考えられる。または、緊急通知機能の緊急である旨を送信する機能が停止してしまったりする状況にあると考えられる。このような状況において緊急であることをより確実に報知することができる。
【００６０】
端末装置から動作用電池が外される場合は、たとえば、緊急報知機能の動作を終了させるために悪意の第三者が動作用電池を外したり、端末装置を遠くに投げられて動作用電池が外れてしまったりする状況にある可能性が考えられる。また、動作用電池が外されたことによって、緊急報知機能の動作が停止してしまう可能性が高い。このような状況において緊急であることをより確実に報知することができる。
【００６１】
端末装置が所定の衝撃を受けた場合は、たとえば、悪意の第三者に遠くに投げられた状況にある可能性が考えられる。また、衝撃によって緊急報知機能の動作が停止してしまう可能性もある。このような状況において緊急であることをより確実に報知することができる。
【００６２】
端末装置が浸水した場合は、たとえば、悪意の第三者によって端末装置を水没させられた状況にある可能性が考えられる。また、浸水によって緊急報知機能の動作が停止してしまう可能性もある。このような状況において緊急であることをより確実に報知することができる。
【００６３】
所定時間経過を待ってから報知内容を表示部に表示させることによって、報知内容を悪意の第三者に知られる可能性を低くすることができる。
【００６４】
電力供給が停止されても表示内容の表示が保持される表示部に報知内容を表示させることによって、動作用電池の残量が少なくなったり、動作用電池が外されたりした場合でも、緊急であることをより確実に報知することができる。
【００６５】
上記の実施形態の一部又は全部は、以下の付記のようにも記載されうるが、以下には限られない。
【００６６】
（付記１）
緊急報知機能を備えた端末装置であって、
前記緊急報知機能が動作中にあって、前記端末装置の使用状況を検出する検出手段と、
前記検出手段によって検出された端末装置の使用状況に応じて、予め指定された報知内容を表示部に表示させるか否かを制御する表示制御手段と
を備えることを特徴とする端末装置。
【００６７】
（付記２）
付記１に記載の端末装置であって、
前記表示制御手段は、端末装置の使用状況として、前記緊急報知機能が起動された後、所定時間経過してもこの緊急報知機能の動作が継続していることを前記検出手段が検出した場合に、予め指定された報知内容を表示部に表示させるように制御することを特徴とする端末装置。
【００６８】
（付記３）
付記１に記載の端末装置であって、
前記表示制御手段は、端末装置の使用状況として、予め指定された操作手順以外の操作手順で前記緊急報知機能の動作が終了することを前記検出手段が検出した場合に、予め指定された報知内容を表示部に表示させるように制御することを特徴とする端末装置。
【００６９】
（付記４）
付記１に記載の端末装置であって、
前記表示制御手段は、端末装置の使用状況として、端末装置の動作用電池の残量が少なくなったことを前記検出手段が検出した場合に、予め指定された報知内容を表示部に表示させるように制御することを特徴とする端末装置。
【００７０】
（付記５）
付記１に記載の端末装置であって、
前記表示制御手段は、端末装置の使用状況として、端末装置から動作用電池が外されることを前記検出手段が検出した場合に、予め指定された報知内容を表示部に表示させるように制御することを特徴とする端末装置。
【００７１】
（付記６）
付記１に記載の端末装置であって、
前記表示制御手段は、端末装置の使用状況として、端末装置が所定の衝撃を受けたことを前記検出手段が検出した場合に、予め指定された報知内容を表示部に表示させるように制御することを特徴とする端末装置。
【００７２】
（付記７）
付記１に記載の端末装置であって、
前記表示制御手段は、端末装置の使用状況として、端末装置が浸水したことを前記検出手段が検出した場合に、予め指定された報知内容を表示部に表示させるように制御することを特徴とする端末装置。
【００７３】
（付記８）
付記１に記載の端末装置であって、
前記表示制御手段は、予め指定された報知内容を表示部に表示させるように制御するにあたって、所定時間の経過を待ってから、表示部に表示させるように制御することを特徴とする端末装置。
【００７４】
（付記９）
付記１に記載の端末装置であって、
前記表示制御手段は、電力供給が停止されても表示内容の表示が保持される表示部に、予め指定された報知内容を表示させるように制御することを特徴とする端末装置。
【００７５】
（付記１０）
コンピュータに、
緊急を報知する機能が動作中にあって、端末装置の使用状況を検出する機能と、
前記検出された端末装置の使用状況に応じて、予め指定された報知内容を表示部に表示させるか否かを制御する機能と
を実現させるためのプログラム。
【符号の説明】
【００７６】
１  携帯電話機
２  交換機
４  基地局
５  インターネット
７  位置情報管理サーバ
８  緊急情報管理サーバ
１１  中央制御部
１２  ＲＡＭ
１２２  パスワード記憶部
１２３  報知内容記憶部
２０  報知部
２２  衝撃検知部
２３  浸水検知部
２４  電池部
【図１】
2014147126.tif 000003
【図２】
2014147126.tif 000004
【図３】
2014147126.tif 000005
【図４】
2014147126.tif 000006
【図５】
2014147126.tif 000007
【図６】
2014147126.tif 000008
【図７】
2014147126.tif 000009
【図８】
2014147126.tif 000010
【図９Ａ】
2014147126.tif 000011
【図９Ｂ】
2014147126.tif 000012
【図９Ｃ】
2014147126.tif 000013